(57)【要約】【課題】セキュリティのリスクを抑えながら設定情報を保持する情報管理システムを提供する。【解決手段】本発明に係る情報管理システムは、無線ＬＡＮ通信部と識別情報記憶部と設定情報記憶部とを有する通信装置と、通信装置に対して設定されたユーザＩＤと識別情報と設定情報とを連関させて記憶する管理情報記憶部と管理情報記憶部を制御する情報制御部とを有する情報管理装置と、を備える。通信装置と情報管理装置とはネットワークを介して通信可能に接続する。情報制御部３２０は、通信装置を第１通信装置１０１から第２通信装置１０２に置き換える場合において、管理情報記憶部３３０に記憶する第１通信装置１０１の無線ＬＡＮ設定情報である第１設定情報を第２通信装置１０２に対して送信し、第２通信装置１０２から無線ＬＡＮ設定情報の更新完了通知を受信したときは、第１設定情報を管理情報記憶部から消去する。【選択図】図１
2019057766.tif 000002
【特許請求の範囲】
【請求項１】
無線ＬＡＮ通信部と、識別情報を記憶する識別情報記憶部と、無線ＬＡＮ設定情報を記憶する設定情報記憶部と、を有する通信装置と、
前記通信装置に対して設定されたユーザＩＤと前記識別情報と前記設定情報とを連関させて記憶する管理情報記憶部と、前記管理情報記憶部を制御する情報制御部と、を有する情報管理装置と、を備え、
前記通信装置と前記情報管理装置とはネットワークを介して通信可能に接続する情報管理システムであって、
前記情報制御部は、
前記通信装置を第１通信装置から第２通信装置に置き換える場合において、前記ユーザＩＤに基づいて前記管理情報記憶部に記憶する前記第１通信装置の無線ＬＡＮ設定情報である第１設定情報を前記第２通信装置に対して送信し、前記第２通信装置から無線ＬＡＮ設定情報の更新完了通知を受信したときは、前記第１設定情報を前記管理情報記憶部から消去する、
情報管理システム。
【請求項２】
前記情報制御部は、
前記第２通信装置が初期化するに場合において、前記第２通信装置から送信される前記第１設定情報を、前記管理情報記憶部に記憶させ、
前記第２通信装置から初期化完了通知を受信したときは、前記第１設定情報を前記第２通信装置に対して送信する、
請求項１に記載の情報管理システム。
【請求項３】
前記情報制御部は、
前記第１設定情報を前記第２通信装置に送信した後に、前記第２通信装置から設定情報の更新完了通知を受信したときは、
前記第１設定情報を前記管理情報記憶部から消去する、
請求項２に記載の情報管理システム。
【請求項４】
ネットワークを介して複数の通信装置と通信可能に接続するネットワーク通信部と、
前記複数の通信装置に対して設定されたユーザＩＤと、前記複数の通信装置がそれぞれ有する識別情報と、前記複数の通信装置が有する設定情報とを連関させた管理情報を記憶する管理情報記憶部と、
前記通信装置から予め設定された信号を受信したときは、前記通信装置に対して前記ユーザＩＤに属する前記設定情報を送信し、前記通信装置から前記設定情報の更新完了通知を受信したときは、前記設定情報を前記管理情報記憶部から消去する情報制御部と、
を備える情報管理装置。
【請求項５】
ネットワークを介して情報管理装置と通信可能に接続するネットワーク通信部と、
識別情報を記憶する識別情報記憶部と、
無線ＬＡＮ設定情報を記憶する設定情報記憶部と、
前記情報管理装置から無線ＬＡＮ設定情報を受信した場合において、前記無線ＬＡＮ設定情報に基づく設定が完了したときは、前記情報管理装置に対して前記設定が完了したことを通知する、通信制御部と、
を備える通信装置。
【請求項６】
前記通信装置は、
初期化信号を前記通信制御部に送信する初期化信号送信部をさらに備え、
前記通信制御部は、前記初期化信号送信部から前記初期化信号を受信したときは、前記識別情報及び前記設定情報を前記情報管理装置に送信した後に、初期化を行う、
請求項５に記載の通信装置。
【請求項７】
ネットワークを介して無線ＬＡＮ通信装置と情報管理装置とが通信可能に接続している情報管理システムにおいて、前記無線ＬＡＮ通信装置を第１通信装置から第２通信装置に置き換える場合の情報管理方法であって、
前記第１通信装置が第１識別情報及び第１設定情報を記憶するステップと、
前記第２通信装置が第２識別情報を記憶するステップと、
前記情報管理装置が前記第１通信装置及び前記第２通信装置に対して設定された共通のユーザＩＤと、前記第１識別情報と、前記第１設定情報と、前記第２識別情報とを連関して記憶するステップと、
前記情報管理装置に接続する前記無線ＬＡＮ装置を前記第１通信装置から前記第２通信に置き換えるステップと、
前記情報管理装置が、前記ユーザＩＤに基づいて前記第１設定情報を前記第２通信装置に送信するステップと、
前記第２通信装置が設定情報の更新完了通知を前記情報管理装置に送信するステップと、
前記設定情報を前記情報管理装置から消去するステップと、
を備える情報管理方法。
【請求項８】
無線ＬＡＮ通信装置である第１通信装置及び第２通信装置に設定された共通のユーザＩＤと、前記第１通信装置の第１識別情報と設定情報と、前記第２通信装置の第２識別情報とを、連関して記憶するステップと、
前記第２通信装置から前記第２識別情報を受信するステップと、
前記共通のユーザＩＤに基づいて、前記第２通信装置に対して、前記設定情報を送信するステップと、
前記第２通信装置から設定情報の更新完了通知を受信するステップと、
記憶していた前記設定情報を消去するステップと、
を備える情報管理方法。
【請求項９】
コンピュータに、
無線ＬＡＮ通信装置である第１通信装置及び第２通信装置に設定された共通のユーザＩＤと、前記第１通信装置の第１識別情報と設定情報と、前記第２通信装置の第２識別情報とを、連関して記憶させ、
前記第２通信装置から前記第２識別情報を受信させ、
前記共通のユーザＩＤに基づいて、前記第２通信装置に対して、前記設定情報を送信させ、
前記第２通信装置から設定情報の更新完了通知を受信させ、
記憶していた前記設定情報を消去させる、
情報管理プログラム。
【発明の詳細な説明】
【技術分野】
【０００１】
本発明は情報管理システム、情報管理装置、通信装置、情報管理方法及び情報管理プログラムに関する。
【背景技術】
【０００２】
無線ＬＡＮ（Local Area Network）のアクセスポイントである無線ＬＡＮ通信装置を交換する場合、新たに使用する装置に、それまで使用していた装置の設定を引き継ぐことがある。そのような場合に、無線ＬＡＮアクセスポイント装置の置き換えを行うための技術が提案されている。
【０００３】
例えば、特許文献１に記載されている無線ＬＡＮアクセスポイントは、無線ＬＡＮクライアント装置として動作し、他の無線ＬＡＮアクセスポイント装置における無線設定内容を取得し、取得した無線設定内容に基づいてアクセスポイントとして動作する。
【０００４】
また、特許文献２に記載されている設定情報集中記憶装置は、保守用ネットワークを介して接続された各装置の障害、交換、ソフトウェア更新等が発生したときに各装置に係わる設定情報を各装置の識別情報をもとに各装置に設定する。
【先行技術文献】
【特許文献】
【０００５】
【特許文献１】特開２０１３−１１５５３９号公報
【特許文献２】特開２００９−０６５４４７号公報
【発明の概要】
【発明が解決しようとする課題】
【０００６】
しかしながら、特許文献１に記載されている無線ＬＡＮアクセスポイント装置は、置き換えが完了した後に当該装置の初期化を行うと、取得した設定情報が消去されてしまう。一方で、特許文献２に記載されている設定情報集中記憶装置は、各装置の設定情報を一元的に記憶しているため、セキュリティの観点から好ましくない。
【０００７】
本発明は、このような課題を解決するためになされたものであり、セキュリティのリスクを抑えながら設定情報を保持する情報管理システムを提供するものである。
【課題を解決するための手段】
【０００８】
本発明の第１の態様にかかる情報管理システムは、無線ＬＡＮ通信部と、識別情報を記憶する識別情報記憶部と、無線ＬＡＮ設定情報を記憶する設定情報記憶部と、を有する通信装置と、前記通信装置に対して設定されたユーザＩＤと前記識別情報と前記設定情報とを連関させて記憶する管理情報記憶部と、前記管理情報記憶部を制御する情報制御部と、を有する情報管理装置と、を備え、前記通信装置と前記情報管理装置とはネットワークを介して通信可能に接続する情報管理システムであって、前記情報制御部は、前記通信装置を第１通信装置から第２通信装置に置き換える場合において、前記ユーザＩＤに基づいて前記管理情報記憶部に記憶する前記第１通信装置の無線ＬＡＮ設定情報である第１設定情報を前記第２通信装置に対して送信し、前記第２通信装置から無線ＬＡＮ設定情報の更新完了通知を受信したときは、前記第１設定情報を前記管理情報記憶部から消去するものである。
【０００９】
本発明の第２態様にかかる情報管理装置は、ネットワークを介して複数の通信装置と通信可能に接続するネットワーク通信部と、前記複数の通信装置に対して設定されたユーザＩＤと、前記複数の通信装置がそれぞれ有する識別情報と、前記複数の通信装置が有する設定情報とを連関させた管理情報を記憶する管理情報記憶部と、前記通信装置から予め設定された信号を受信したときは、前記通信装置に対して前記ユーザＩＤに属する前記設定情報を送信し、前記通信装置から前記設定情報の更新完了通知を受信したときは、前記設定情報を前記管理情報記憶部から消去する情報制御部と、を備えるものである。
【００１０】
本発明の第３態様にかかる通信装置は、ネットワークを介して情報管理装置と通信可能に接続するネットワーク通信部と、識別情報を記憶する識別情報記憶部と、無線ＬＡＮ設定情報を記憶する設定情報記憶部と、前記情報管理装置から無線ＬＡＮ設定情報を受信した場合において、前記無線ＬＡＮ設定情報に基づく設定が完了したときは、前記情報管理装置に対して前記設定が完了したことを通知する、通信制御部と、を備えるものである。
【００１１】
本発明の第４態様にかかる情報管理方法は、ネットワークを介して無線ＬＡＮ通信装置と情報管理装置とが通信可能に接続している情報管理システムにおいて、前記無線ＬＡＮ通信装置を第１通信装置から第２通信装置に置き換える場合の情報管理方法であって、前記第１通信装置が第１識別情報及び第１設定情報を記憶するステップと、前記第２通信装置が第２識別情報を記憶するステップと、前記情報管理装置が前記第１通信装置及び前記第２通信装置に対して設定された共通のユーザＩＤと、前記第１識別情報と、前記第１設定情報と、前記第２識別情報とを連関して記憶するステップと、前記情報管理装置に接続する前記無線ＬＡＮ装置を前記第１通信装置から前記第２通信に置き換えるステップと、前記情報管理装置が、前記ユーザＩＤに基づいて前記第１設定情報を前記第２通信装置に送信するステップと、前記第２通信装置が設定情報の更新完了通知を前記情報管理装置に送信するステップと、前記設定情報を前記情報管理装置から消去するステップと、を備えるものである。
【００１２】
本発明の第５態様にかかる情報管理方法は、無線ＬＡＮ通信装置である第１通信装置及び第２通信装置に設定された共通のユーザＩＤと、前記第１通信装置の第１識別情報と設定情報と、前記第２通信装置の第２識別情報とを、連関して記憶するステップと、前記第２通信装置から前記第２識別情報を受信するステップと、前記共通のユーザＩＤに基づいて、前記第２通信装置に対して、前記設定情報を送信するステップと、前記第２通信装置から設定情報の更新完了通知を受信するステップと、記憶していた前記設定情報を消去するステップと、を備えるものである。
【００１３】
本発明の第６態様にかかる情報管理プログラムは、コンピュータに、無線ＬＡＮ通信装置である第１通信装置及び第２通信装置に設定された共通のユーザＩＤと、前記第１通信装置の第１識別情報と設定情報と、前記第２通信装置の第２識別情報とを、連関して記憶させ、前記第２通信装置から前記第２識別情報を受信させ、前記共通のユーザＩＤに基づいて、前記第２通信装置に対して、前記設定情報を送信させ、前記第２通信装置から設定情報の更新完了通知を受信させ、記憶していた前記設定情報を消去させるものである。
【発明の効果】
【００１４】
本発明によれば、セキュリティのリスクを抑えながら設定情報を保持する情報管理システムを提供することができる。
【図面の簡単な説明】
【００１５】
【図１】本発明にかかる情報管理システムの概念図である。
【図２】実施の形態にかかる通信装置のブロック図である。
【図３】実施の形態にかかる情報管理装置のブロック図である。
【図４】実施の形態にかかる管理テーブルの一例を示す図である。
【図５】実施の形態にかかる通信装置の初期設定の手順を示すシーケンス図である。
【図６】実施の形態にかかる通信装置の置き換え手順を示すシーケンス図である。
【図７】実施の形態にかかる通信装置の初期化の手順を示すシーケンス図である。
【発明を実施するための形態】
【００１６】
実施の形態
以下、図面を参照して本発明の実施の形態について説明する。まず、図１を参照しながら、実施の形態にかかる情報管理システムの概要について説明する。図１は、本発明にかかる情報管理システムの概念図である。図１（Ａ）に示す情報管理システム１０は、第１通信装置１０１と、情報管理装置３００とを備えている。第１通信装置１０１と情報管理装置３００とはネットワーク２００を介して通信可能に接続している。図１（Ｂ）に示す情報管理システム２０は、図１（Ａ）に示した情報管理システム１０の第１通信装置１０１を第２通信装置１０２に置き換えた状態である。
【００１７】
第１通信装置１０１及び第２通信装置１０２は、無線ＬＡＮ通信のアクセスポイントの機能を有する装置である。すなわち、第１通信装置１０１及び第２通信装置１０２は、ノートパソコンやスマートフォンなどの無線ＬＡＮ端末を、相互に接続し、又は、他のネットワークに接続する機能を有している。第１通信装置１０１は、第１識別情報と、無線ＬＡＮ設定情報とを記憶している。第２通信装置１０２は、第２識別情報と、無線ＬＡＮ設定情報とを記憶している。
【００１８】
上述の識別情報とは、第１通信装置１０１又は第２通信装置１０２にそれぞれ固有に割り当てられた識別情報である。すなわち、第１通信装置１０１の有する第１識別情報と、第２通信装置１０２の有する第２識別情報とは異なる内容を有している。識別情報としては、例えば、ＭＡＣアドレス（Media Access Control address）、製品の製造番号等、他の機器とは重複しない情報を採用することができる。
【００１９】
無線ＬＡＮ設定情報は、第１通信装置１０１又は第２通信装置１０２が無線ＬＡＮ通信のアクセスポイントとして機能するための情報である。無線ＬＡＮ設定情報は、例えば、ＳＳＩＤ（Service Set Identifier）、暗号化方式等を含む。本実施の形態において、情報管理システム１０における第１通信装置１０１の有する無線ＬＡＮ設定情報と、情報管理システム２０における第２通信装置１０２の有する無線ＬＡＮ設定情報とは、同じものである。したがって、情報管理システム１０において第１通信装置１０１に接続していた無線ＬＡＮ端末は、接続設定を更新することなく、同じ設定のまま、情報管理システム２０において第２通信装置１０２に接続することができる。
【００２０】
ネットワーク２００は、例えば、ＷＡＮ（Wide Area Network）であって、公衆回線等により広範囲に接続されている広域ネットワークである。
【００２１】
情報管理装置３００は、ネットワーク２００を介して通信可能に接続している通信装置に対して設定したユーザＩＤと、接続している通信装置の識別情報及び無線ＬＡＮ設定情報を連関させた管理テーブルを記憶している。情報管理装置３００は、例えば、ＲＯＭ（read‐only memory）、ＲＡＭ（random access memory）及びＣＰＵ（central processing unit）等を含むコンピュータ装置により構成されている。また、情報管理装置は、汎用のコンピュータ装置ではなく、専用の装置であってもよい。
【００２２】
管理テーブルは、例えば、情報管理装置３００の管理者がそれぞれの通信装置に対してユーザＩＤを設定することにより作成される。図１（Ａ）及び図１（Ｂ）の場合、情報管理装置３００の管理者は、第１通信装置１０１及び第２通信装置１０２に対して共通のユーザＩＤを設定する。情報管理装置３００は、管理者により設定されたユーザＩＤ、第１通信装置１０１の第１識別情報、無線ＬＡＮ設定情報及び第２通信装置１０２の第２識別情報を連関させた管理テーブルを記憶する。
【００２３】
次に、図２を参照しながら、第１通信装置及び第２通信装置の詳細を説明する。図２は、実施の形態にかかる第１通信装置１０１のブロック図である。第１通信装置は、アンテナ１１０、無線ＬＡＮ通信部１２０、ＷＡＮ通信部１３０、通信制御部１４０、初期化信号送信部１５０、識別情報記憶部１６０及び無線ＬＡＮ設定記憶部１７０を主に有している。以下に各部の詳細を説明する。尚、図１に示した第１通信装置１０１と、第２通信装置１０２とは、同様の構成となっている。
【００２４】
アンテナ１１０は、無線ＬＡＮ通信部１２０に接続している無線ＬＡＮ用のアンテナである。無線ＬＡＮ通信部１２０は、アンテナ１１０を介して、種々の無線ＬＡＮ端末と通信可能に接続する。無線ＬＡＮ通信部１２０は、例えば、ＩＥＥＥ（Institute of Electrical and Electronic Engineers）により定められた周波数２．４ＧＨｚ帯又は周波数５ＧＨｚ帯の電波による無線通信を行う。無線ＬＡＮ通信部１２０は、通信制御部１４０に接続している。
【００２５】
ＷＡＮ通信部１３０は、ネットワーク２００に接続し、第１通信装置１０１と、広域ネットワークに接続している通信機器とを通信可能に接続する。ＷＡＮ通信部１３０は、広域ネットワークに接続するためのインターフェースとして、例えば、イーサネット（登録商標）規格に基づいた有線ケーブル端子を有していてもよい。ＷＡＮ通信部１３０は、通信制御部１４０に接続している。
【００２６】
通信制御部１４０は、無線ＬＡＮ通信部１２０、ＷＡＮ通信部１３０、初期化信号送信部１５０、識別情報記憶部１６０及び無線ＬＡＮ設定記憶部１７０に接続し、各構成を制御又は監視している。通信制御部１４０のハードウェア構成は、例えば、ＲＯＭ、ＲＡＭ又はＣＰＵを含む組み合わせにより構成される。
【００２７】
初期化信号送信部１５０は、第１通信装置１０１を初期化するための信号を送信する機能を有している。初期化信号送信部１５０は、例えば、スイッチやボタン等のハードウェアにより構成されていてもよい。初期化信号送信部１５０は、また、有線ＬＡＮや無線ＬＡＮにより接続されたコンピュータ等からの操作を受け付けることにより第１通信装置１０１を初期化するための信号を送信する構成であってもよい。上述した構成により、初期化信号送信部１５０は、ユーザによる操作を受け付け、初期化するための信号を通信制御部１４０に送信する。
【００２８】
識別情報記憶部１６０は、第１通信装置１０１の識別情報である第１識別情報を記憶している記憶装置である。識別情報記憶部１６０は、例えば、マスクＲＯＭ、ＥＥＰＲＯＭ（Electrically Erasable Programmable Read-Only Memory）、フラッシュメモリ等の不揮発性の記憶装置により構成されている。識別情報記憶部１６０は、書き換え不可の記憶装置であってもよい。また、識別情報記憶部１６０は、書き換え可能な記憶装置であってもよい。識別情報記憶部１６０は、通信制御部１４０に接続している。
【００２９】
無線ＬＡＮ設定記憶部１７０は、上述した無線ＬＡＮ設定情報を記憶する。無線ＬＡＮ設定情報は、書き換えられる可能性がある情報である。したがって、無線ＬＡＮ設定記憶部１７０は、書き換え可能な記憶装置により構成されている。すなわち、無線ＬＡＮ設定記憶部１７０は、電源を切っても情報を記憶するＥＥＰＲＯＭやフラッシュメモリにより構成されている。
【００３０】
次に、図３を参照しながら、情報管理装置３００の主な構成について詳細を説明する。図３は、実施の形態にかかる情報管理装置３００のブロック図である。情報管理装置３００は、ＷＡＮ通信部３１０と、情報制御部３２０と、管理情報記憶部３３０とを主に有している。
【００３１】
ＷＡＮ通信部３１０は、ネットワーク２００に接続し、情報管理装置３００と、広域ネットワークに接続している通信機器とを通信可能に接続する。ＷＡＮ通信部３１０は、広域ネットワークに接続するためのインターフェースとして、例えば、イーサネット（登録商標）規格に基づいた有線ケーブル端子を有していてもよい。ＷＡＮ通信部３１０は、情報制御部３２０に接続している。
【００３２】
情報制御部３２０は、ＷＡＮ通信部３１０と、管理情報記憶部３３０とに接続し、各部を制御又は監視する。また、情報制御部３２０は、ＷＡＮ通信部３１０を介して受信した通信装置の情報と、管理情報記憶部３３０に記憶している情報とを照合し、管理情報記憶部３３０が有している管理テーブル３０１の情報を更新する。また、情報制御部３２０は、図示しない表示装置、情報入力装置等と接続し、管理者からの操作を受け付け、管理テーブル３０１の内容を更新してもよい。また、情報制御部３２０は、管理テーブル３０１の内容に基づいて、情報管理装置３００に接続している通信装置に対して無線ＬＡＮ設定情報を送信する。情報制御部３２０のハードウェア構成は、例えば、ＲＯＭ、ＲＡＭ又はＣＰＵを含む組み合わせにより構成される。
【００３３】
情報制御部３２０は、通信装置から予め設定された信号を受信した場合に、通信装置に対して、共通のユーザＩＤに属する無線ＬＡＮ設定情報を送信する。具体的には、例えば、図１に例示した情報管理システム１０において、第１通信装置１０１から第２通信装置１０２に置き換える際に、情報制御部３２０は、第２通信装置１０２から予め設定された信号を受信する。そして、情報制御部３２０は、第２通信装置１０２に対して、管理情報記憶部３３０に記憶している第１通信装置１０１の無線ＬＡＮ設定情報を送信する。
【００３４】
また、情報制御部３２０は、通信装置から無線ＬＡＮ設定情報の更新完了通知を受信すると、管理情報記憶部の無線ＬＡＮ設定情報を消去する。具体的には、例えば、図１（Ｂ）に例示した情報管理システム２０において、第２通信装置１０２が情報管理装置３００から無線ＬＡＮ設定情報を受信する。そして、情報制御部３２０は、ＷＡＮ通信部３１０を介して、第２通信装置１０２から無線ＬＡＮ設定情報の更新完了通知を受信すると、管理テーブル３０１の無線ＬＡＮ設定情報を消去する。
【００３５】
管理情報記憶部３３０は、管理テーブル３０１を記憶する記憶装置である。管理情報記憶部３３０は、例えば、ＥＥＰＲＯＭ、フラッシュメモリ、ハードディスクドライブ等の書き換え可能な不揮発性の記憶装置により構成されている。
【００３６】
次に、図４を参照しながら、管理テーブルについて説明する。図４は、実施の形態にかかる管理テーブル３０１の一例を示す図である。管理テーブル３０１の左側の縦の列は、ユーザＩＤを示している。すなわち、管理テーブル３０１は、ユーザＩＤとして、Ｕ５００、Ｕ６００、・・・、Ｕｘを有している。管理テーブル３０１の中央の縦の列は、識別情報を示している。すなわち、管理テーブル３０１は、識別情報として、Ｑ５０１−１、Ｑ５０２−１、Ｑ６０１−１、・・・、Ｑｘ−１を有している。管理テーブル３０１の右側の縦の列は、無線ＬＡＮ設定情報を示している。すなわち、管理テーブル３０１は、無線ＬＡＮ設定情報として、Ｃ５０１−２、Ｃ５０２−２、Ｃ６０１−２、・・・、Ｃｘ−２を有している。
【００３７】
管理テーブル３０１の各行は、ユーザＩＤと、識別情報と、無線ＬＡＮ設定情報とが連関している情報であることを示している。例えば、ユーザＩＤのＵ５００には、識別情報Ｑ５０１−１と、無線ＬＡＮ設定情報Ｃ５０１−２とが連関している。同様に、ユーザＩＤのＵ５００には、識別情報Ｑ５０２−１と、無線ＬＡＮ設定情報Ｃ５０２−２とが連関している。つまり、ユーザＩＤのＵ５００には識別情報Ｑ５０１−１と、識別情報Ｑ５０２−１とが連関している。ユーザＩＤのＵ６００には、識別情報Ｑ６０１−１と、無線ＬＡＮ設定情報Ｃ６０１−２とが連関している。同様に、ユーザＩＤのＵｘには、識別情報Ｑｘ−１と、無線ＬＡＮ設定情報Ｃｘ−２とが連関している。
【００３８】
ユーザＩＤは、各ユーザに対して設定された識別情報である。ユーザＩＤは、例えば、情報管理装置３００の管理者が任意の識別情報を割り当てる。例えば、情報管理装置３００の管理者が通信事業者である場合、管理者は、顧客ごとに識別情報であるユーザＩＤを設定する。管理テーブル３０１において、例えば、ユーザＩＤのＵ５００を設定している顧客には、識別情報Ｑ５０１−１を有する通信装置を配布している。識別情報Ｑ５０１−１を有する通信装置の無線ＬＡＮ設定情報はＣ５０１−２である。無線ＬＡＮ設定情報Ｃ５０１−２は、識別情報Ｑ５０１−１を有する通信装置のＳＳＩＤ、暗号化方式等の無線ＬＡＮ設定情報を有している。つまり、識別情報Ｑ５０１−１の通信装置は、無線ＬＡＮ設定記憶部に、Ｃ５０１−２に含まれる情報を記憶している。
【００３９】
尚、通信装置を使用するユーザにより、通信装置の有する無線ＬＡＮ設定情報が変更された場合は、管理テーブル３０１の無線ＬＡＮ設定情報が更新される構成となっていてもよい。
【００４０】
次に、図５〜７を参照しながら、実施の形態にかかる情報管理システムの処理について説明する。図５〜７に例示する情報管理システムは、通信事業者が管理する情報管理装置と、通信事業者とサービス契約を結んでいるユーザが使用する通信装置との間に構成される。以下に説明するユーザ５００は、図４に示した管理テーブル３０１におけるユーザＩＤのＵ５００が設定されており、第１通信装置１０１の識別情報（第１識別情報）はＱ５０１−１であり、第１通信装置１０１の無線ＬＡＮ設定情報はＣ５０１−２である。また、第２通信装置１０２の識別情報（第２識別情報）はＱ５０２−１であり、第２通信装置１０２の無線ＬＡＮ設定情報はＣ５０２−２である。
【００４１】
図５を参照しながら、ユーザ５００が第１通信装置１０１を設置する場合における、情報管理システム１０の処理について説明する。
【００４２】
ユーザ５００は、通信事業者である管理者４００に対してサービス契約の申込みを連絡する（ステップＳ１００）。ユーザ５００が管理者４００に連絡する方法は、例えば、Ｗｅｂサービスを介した必要事項の入力及び送信や、Ｅメール、電話等である。管理者４００は、ユーザ５００からの連絡を受け、第１通信装置１０１の識別情報である第１識別情報を情報管理装置３００に入力すると共に、第１識別情報にユーザＩＤを連関させる（ステップＳ１０１）。情報管理装置３００は、管理者４００が入力した情報に基づいて管理テーブル３０１を更新する（ステップＳ１０２）。具体的には、管理者４００は、ユーザ５００に対してユーザＩＤであるＵ５００を設定すると共に、Ｕ５００と、第１通信装置１０１の識別情報（第１識別情報）であるＱ５０１−１とを連関させるように、情報管理装置３００へ情報を入力する。
【００４３】
次に、管理者４００は、第１通信装置１０１を、ユーザ５００へ送付する（ステップＳ１０３）。ユーザ５００は、管理者４００から送付された第１通信装置１０１を受け取ると、所望の場所へ第１通信装置１０１を設置し、起動操作を行う（ステップＳ１０４）。第１通信装置１０１は、ユーザ５００の操作を受け、起動処理を行う（ステップＳ１０５）。
【００４４】
第１通信装置１０１は、起動すると、情報管理装置３００へ接続する（ステップＳ１０６）。具体的には、例えば、第１通信装置１０１は、予め設定されている情報管理装置３００のＩＰアドレス又はＵＲＬ（uniform resource locator）等へアクセスし、接続する。また、第１通信装置１０１は、ユーザ５００の操作により、情報管理装置３００へ接続してもよい。第１通信装置１０１は、情報管理装置３００に接続し、第１識別情報Ｑ５０１−１を送信する。
【００４５】
第１通信装置１０１が接続すると、情報管理装置３００は、管理テーブル３０１を参照する（ステップＳ１０７）。具体的には、情報管理装置３００は、まず、第１通信装置１０１が送信した第１識別情報Ｑ５０１−１を受信し、ユーザＩＤと照合する。情報管理装置３００は、第１識別情報Ｑ５０１−１が、ユーザＩＤのＵ５００と連関していることを判定する。
【００４６】
続いて、図６を参照しながら、情報管理システム１０の通信装置を、第１通信装置１０１から第２通信装置１０２に置き換える場合の処理について説明する。図６は、実施の形態にかかる通信装置の置き換え手順を示すシーケンス図である。図６において、第１通信装置１０１は、情報管理装置３００と通信可能に接続している。また、第１通信装置１０１は、ユーザ５００の管理の下において、無線ＬＡＮ端末との接続を行っている状態である。
【００４７】
通信装置の置き換えにつき、ユーザ５００は、第１通信装置１０１に対して、第１通信装置１０１の有する無線ＬＡＮ設定情報を、第１通信装置１０１と通信可能に接続している情報管理装置３００に送信する指示を送る（ステップＳ２００）。ユーザ５００は、例えば、第１通信装置１０１に接続している無線ＬＡＮ端末を介してこのような指示を送る。また、ユーザ５００は、第１通信装置１０１を直接操作することにより、このような指示を送ってもよい。
【００４８】
第１通信装置１０１は、ユーザ５００の操作を受け付けると、図２において説明した無線ＬＡＮ設定記憶部１７０に記憶している無線ＬＡＮ設定情報を、情報管理装置３００に対して送信する（ステップＳ２０１）。情報管理装置３００は、第１通信装置１０１が送信した無線ＬＡＮ設定情報を図３において説明した管理情報記憶部３３０に入力し、管理テーブル３０１を更新する（ステップＳ２０２）。
【００４９】
図４を参照しながら説明すると、管理テーブル３０１において、管理者４００は、ユーザ５００のユーザＩＤとしてＵ５００を設定している。第１通信装置１０１の識別情報（第１識別情報）は、Ｑ５０１−１である。第１通信装置１０１が無線ＬＡＮ設定情報を送信することにより、情報管理装置３００の有する管理テーブル３０１において、無線ＬＡＮ設定情報Ｃ５０１−２が更新される。無線ＬＡＮ設定情報Ｃ５０１−２が更新されることにより、管理テーブル３０１には、第１通信装置１０１の無線ＬＡＮ設定情報が一時的に記憶される。
【００５０】
続いて、ユーザ５００は、通信事業者である管理者４００に対して第１通信装置１０１を第２通信装置１０２へ置き換えるための連絡をする（ステップＳ２０３）。管理者４００は、ユーザ５００からの連絡を受け、第２通信装置１０２の識別情報（第２識別情報）Ｑ５０２−１をユーザ５００のユーザＩＤと連関させるように情報管理装置３００に入力する（ステップＳ２０４）。情報管理装置３００は、管理者４００が入力した情報を受け、ユーザＩＤのＵ５００と、第２通信装置１０２の第２識別情報であるＱ５０２−１を連関させて、管理テーブル３０１を更新する（ステップＳ２０５）。
【００５１】
次に、管理者４００は、ユーザ５００に対して、第２通信装置１０２を送付する（ステップＳ２０６）。ユーザ５００は、管理者４００から送付された第２通信装置１０２を受け取ると、第１通信装置１０１から第２通信装置１０２に置き換える（ステップＳ２０７）。第１通信装置１０１は、この時点において動作が停止される。第２通信装置１０２は、ユーザ５００の操作を受け、起動処理を行う（ステップＳ２０８）。
【００５２】
第２通信装置１０２は、起動すると、情報管理装置３００へ接続する（ステップＳ２０９）。具体的には、例えば、第２通信装置１０２は、予め設定されている情報管理装置３００のＩＰアドレスへアクセスし、接続する。また、第２通信装置１０２は、ユーザ５００の操作により、情報管理装置３００へ接続してもよい。
【００５３】
第２通信装置１０２が接続すると、情報管理装置３００は、管理テーブル３０１を参照する（ステップＳ２１０）。具体的には、情報管理装置３００は、まず、第２通信装置１０２が送信した第２識別情報Ｑ５０２−１を受信し、ユーザＩＤと照合する。情報管理装置３００は、第２識別情報Ｑ５０２−１が、ユーザＩＤのＵ５００と連関していることを判定する。次に、情報管理装置３００は、管理テーブル３０１を参照し、第２識別情報Ｑ５０２−１に連関する無線ＬＡＮ設定情報Ｃ５０１−２又はＣ５０２−２に情報が含まれているか否かを判定する。図５に示す例においては、無線ＬＡＮ設定情報Ｃ５０１−２に無線ＬＡＮ設定情報が記憶されている。そこで、情報管理装置３００は、前記ユーザＩＤに基づいて、管理テーブル３０１内の無線ＬＡＮ設定情報Ｃ５０１−２に含まれる情報を第２通信装置１０２に対して送信する（ステップＳ２１１）。
【００５４】
第２通信装置１０２は、情報管理装置３００が送信した無線ＬＡＮ設定情報を受信すると、第２通信装置１０２の有する無線ＬＡＮ設定記憶部に無線ＬＡＮ設定情報を記憶する。そして、第２通信装置１０２は、記憶した無線ＬＡＮ設定情報に基づいて、初期設定を行う（ステップＳ２１２）。
【００５５】
第２通信装置１０２は、初期設定が完了すると、無線ＬＡＮ設定情報の更新完了通知を情報管理装置３００へ送信する（ステップＳ２１３）。続いて、第２通信装置１０２は、無線ＬＡＮ端末との接続を開始する（ステップＳ２１４）。
【００５６】
情報管理装置３００は、第２通信装置１０２が送信した更新完了通知を受信すると、管理テーブル３０１内の無線ＬＡＮ設定情報Ｃ５０１−２に記憶していた無線ＬＡＮ設定情報を消去する（ステップＳ２１５）。
【００５７】
このように、本実施の形態にかかる情報管理システム１０は、第１通信装置１０１の無線ＬＡＮ設定情報を情報管理装置３００に一時保存する。そして、情報管理装置３００は、第１通信装置１０１の無線ＬＡＮ設定情報を第２通信装置１０２に送信する。さらに、情報管理装置３００は、第２通信装置１０２に無線ＬＡＮ設定情報を送信した後に、一時記憶していた無線ＬＡＮ設定情報を消去する。したがって、本実施の形態にかかる情報管理システム１０は、通信装置の置き換えをする場合に、セキュリティのリスクを抑えながら設定情報を保持することができる。
【００５８】
次に、図７を参照しながら、情報管理システム２０において、第２通信装置１０２を初期化させる場合の処理について説明する。図７は、実施の形態にかかる通信装置の初期化の手順を示すシーケンス図である。図７において、第２通信装置１０２は、情報管理装置３００と通信可能に接続している。また、第２通信装置１０２は、ユーザ５００の管理の下において、無線ＬＡＮ端末との接続を行っている状態である。
【００５９】
まず、ユーザ５００は、第２通信装置１０２に対して初期化処理を行うことを指示する（ステップＳ３０１）。具体的には、例えば、ユーザ５００は、第２通信装置１０２が有している初期化信号送信部を直接操作することにより、初期化処理を指示する。また、ユーザ５００は、第２通信装置１０２と接続しているＰＣ等の無線ＬＡＮ端末を介して、第２通信装置１０２の初期化信号送信部を操作してもよい。
【００６０】
次に、第２通信装置１０２は、ユーザ５００からの指示を受け、第２通信装置１０２の第２識別情報Ｑ５０２−１と共に、無線ＬＡＮ設定記憶部に記憶している無線ＬＡＮ設定情報を情報管理装置３００へ送信する（ステップＳ３０２）。
【００６１】
続いて、情報管理装置３００は、第２通信装置１０２が送信した第２識別情報Ｑ５０２−１及び無線ＬＡＮ設定情報を受信すると、管理テーブル３０１を更新する（ステップＳ３０３）。具体的には、情報管理装置３００は、まず、第２通信装置１０２が送信した第２識別情報Ｑ５０２−１を受信し、ユーザＩＤと照合する。情報管理装置３００は、第２識別情報Ｑ５０２−１が、ユーザＩＤのＵ５００と連関していることを判定する。次に、情報管理装置３００は、第２通信装置１０２が送信した無線ＬＡＮ設定情報を、第２識別情報Ｑ５０２−１に連関する無線ＬＡＮ設定情報Ｃ５０２−２に一時記憶する。
【００６２】
次に、情報管理装置３００は、第２通信装置１０２が送信した無線ＬＡＮ設定情報の一時記憶が完了したことを第２通信装置１０２に送信する（ステップＳ３０４）。第２通信装置１０２は、情報管理装置３００が無線ＬＡＮ設定情報の一時記憶を完了したことを受信すると、無線ＬＡＮ設定情報の初期化又は再起動を行う（ステップＳ３０５）。つまり、第２通信装置１０２は、第２識別情報及び無線ＬＡＮ設定情報を情報管理装置３００に送信した後に、初期化を行う。さらに、第２通信装置１０２は、情報管理装置３００から管理テーブル３０１の更新完了の通知を受信した後に、初期化を行うということもできる。尚、第２通信装置１０２は、無線ＬＡＮ設定情報以外の情報についても同時に初期化を行ってもよい。無線ＬＡＮ設定情報以外の情報とは、例えば無線ＬＡＮ通信におけるトランザクションに関する一時的な情報等である。
【００６３】
次に、第２通信装置１０２は、初期化又は再起動が完了すると、情報管理装置３００へ接続し、初期化完了通知を送信する（ステップＳ３０６）。具体的には、例えば、第２通信装置１０２は、予め設定されている情報管理装置３００のＩＰアドレス又はＵＲＬ等へアクセスし、接続する。また、第２通信装置１０２は、ユーザ５００の操作により、情報管理装置３００へ接続してもよい。そして、第２通信装置１０２は、情報管理装置３００へ接続すると、第２識別情報Ｑ５０２−１を送信すると共に、初期化が完了した状態であることを通知する信号を送信する。
【００６４】
次に、情報管理装置３００は、管理テーブル３０１を参照する（ステップＳ３０７）。具体的には、情報管理装置３００は、まず、第２通信装置１０２が送信した第２識別情報Ｑ５０２−１を受信し、ユーザＩＤと照合する。情報管理装置３００は、第２識別情報Ｑ５０２−１が、ユーザＩＤのＵ５００と連関していることを判定する。次に、情報管理装置３００は、管理テーブル３０１を参照し、第２識別情報Ｑ５０２−１に連関する無線ＬＡＮ設定情報Ｃ５０１−２又はＣ５０２−２に情報が含まれているか否かを判定する。図５に示す例においては、無線ＬＡＮ設定情報Ｃ５０２−２に無線ＬＡＮ設定情報が記憶されている。そこで、情報管理装置３００は、ユーザＩＤに基づいて、管理テーブル３０１内の無線ＬＡＮ設定情報Ｃ５０２−２に含まれる情報を第２通信装置１０２に対して送信する（ステップＳ３０８）。
【００６５】
第２通信装置１０２は、情報管理装置３００が送信した無線ＬＡＮ設定情報を受信すると、第２通信装置１０２の有する無線ＬＡＮ設定記憶部に無線ＬＡＮ設定情報を記憶する。そして、第２通信装置１０２は、記憶した無線ＬＡＮ設定情報に基づいて、設定を行う（ステップＳ３０９）。
【００６６】
第２通信装置１０２は、設定が完了すると、無線ＬＡＮ設定情報の更新完了通知を情報管理装置３００へ送信する（ステップＳ３１０）。続いて、第２通信装置１０２は、無線ＬＡＮ端末との接続を開始する（ステップＳ３１１）。
【００６７】
情報管理装置３００は、第２通信装置１０２が送信した更新完了通知を受信すると、管理テーブル３０１内の無線ＬＡＮ設定情報Ｃ５０２−２に記憶していた無線ＬＡＮ設定情報を消去する（ステップＳ３１２）。
【００６８】
このように、本実施の形態にかかる情報管理システム２０は、第２通信装置１０２の無線ＬＡＮ設定情報を情報管理装置３００に一時保存する。そして、情報管理装置３００は、第２通信装置１０２の無線ＬＡＮ設定情報を再び第２通信装置１０２に送信する。さらに、情報管理装置３００は、第２通信装置１０２に無線ＬＡＮ設定情報を送信した後に、一時記憶していた無線ＬＡＮ設定情報を消去する。したがって、本実施の形態にかかる情報管理システム２０は、通信装置の初期化又は再起動をする場合に、セキュリティのリスクを抑えながら設定情報を保持することができる。
【００６９】
尚、本発明は上記実施の形態に限られたものではなく、趣旨を逸脱しない範囲で適宜変更することが可能である。
【符号の説明】
【００７０】
１０、２０  情報管理システム
１０１  第１通信装置
１０２  第２通信装置
１１０  アンテナ
１２０  無線ＬＡＮ通信部
１３０、３１０  ＷＡＮ通信部
１４０  通信制御部
１５０  初期化信号送信部
１６０  識別情報記憶部
１７０  無線ＬＡＮ設定記憶部
２００  ネットワーク
３００  情報管理装置
３０１  管理テーブル
３２０  情報制御部
３３０  管理情報記憶部
４００  管理者
５００  ユーザ
【図１】
2019057766.tif 000003
【図２】
2019057766.tif 000004
【図３】
2019057766.tif 000005
【図４】
2019057766.tif 000006
【図５】
2019057766.tif 000007
【図６】
2019057766.tif 000008
【図７】
2019057766.tif 000009